(57)【要約】【課題】動作を阻害されることが少ないアクチュエータを低コストに組み立てるための光ピックアップ用アクチュエータ組立治具セット、及び光ピックアップ用アクチュエータ組立方法を提供する。【解決手段】ワイヤ支持部とレンズホルダとを固定治具に固定し、補助治具を固定治具の両側面に取り付ける。補助治具は、サスペンションワイヤ２１等が差し込まれる方向に対して斜めの平面である斜部２２１ａ等を有し、斜部２２１ａ等は、位置決め部３６等が有するテーパ状の溝３６ａ等と当接して貫通孔ＨＬを形成する。ワイヤ支持部にサスペンションワイヤ２１等を差し込み、位置決め部３６等に斜部２２１ａ等を用いてサスペンションワイヤ２１等を当接させるようにサスペンションワイヤ２１等を押圧して湾曲させ、貫通孔ＨＬに挿入させ、位置決めを行う。【選択図】図１７
2009230806.tif 000002
【特許請求の範囲】
【請求項１】
ワイヤ支持部に形成された貫通孔から、レンズホルダ部の一面に形成され、且つ、サスペンションワイヤの挿入方向に向かって縮小するテーパを有する溝にサスペンションワイヤを通すことによりレンズホルダ部とワイヤ支持部との相対位置を調整し、位置調整後、前記ワイヤ支持部と前記レンズホルダ部に前記サスペンションワイヤを固定することによって、光ピックアップ用アクチュエータを組み立てる方法に使用される組立治具セットであって、
前記ワイヤ支持部と前記レンズホルダ部とを位置合わせして固定する固定治具と、
前記固定治具に取り付け可能であり、前記固定治具に取り付けられた状態で、前記レンズホルダ部の前記溝を塞いで位置決め用貫通孔とし、前記サスペンションワイヤの挿入時に、当接したサスペンションワイヤを前記位置決め用貫通孔に誘導するように傾斜した傾斜面を備える補助治具と、を備える、
ことを特徴とする光ピックアップ用アクチュエータ組立治具セット。
【請求項２】
貫通孔を有するワイヤ支持部と、一面に形成されるテーパを含む溝を有するレンズホルダ部とを位置合わせして固定する固定治具と、
前記固定治具に取り付け可能であり、傾斜面を備える補助治具と、
を備える組立治具セットを使用して光ピックアップ用アクチュエータを組み立てる方法であって、
前記固定治具に前記ワイヤ支持部と前記レンズホルダ部とを位置合わせして固定し、前記固定治具に前記補助治具を取り付け、前記補助治具によって前記レンズホルダ部の前記溝を塞いで位置決め用貫通孔とする固定工程と、
前記サスペンションワイヤを前記ワイヤ支持部の前記貫通孔から挿入し、前記傾斜面を用いて前記サスペンションワイヤを前記位置決め用貫通孔に誘導する誘導工程と、を備える、
ことを特徴とする光ピックアップ用アクチュエータ組立方法。
【請求項３】
前記レンズホルダ部は、左右対称の複数の前記サスペンションワイヤを用いて、前記ワイヤ支持部に架橋され、
前記溝は、前記サスペンションワイヤが差し込まれる左右対称の直線上の内側に配置され、
前記左右対称の複数の前記サスペンションワイヤは、差し込まれる方向に角度を為すように斜めに架橋される、
ことを特徴とする請求項２に記載の光ピックアップ用アクチュエータ組立方法。
【請求項４】
前記レンズホルダ部は、前記サスペンションワイヤを接着するためのワイヤ取付部をさらに備え、
前記誘導工程で前記位置決め用貫通孔に誘導させて位置決めを行った前記サスペンションワイヤと、前記ワイヤ取付部及び前記ワイヤ支持部とを半田付けによって接着する接着工程をさらに備える、
ことを特徴とする請求項２又は３に記載の光ピックアップ用アクチュエータ組立方法。
【請求項５】
前記レンズホルダ部は、アクチュエータを動作させるためのコイルを備え、
前記ワイヤ取付部は、
前記コイルと前記サスペンションワイヤとを通電させる端子であり、
前記ワイヤ支持部と前記レンズホルダ部とが前記固定治具に固定されている状態で、前記溝と前記ワイヤ支持部が備える貫通孔との間に存在するように配設され、
前記サスペンションワイヤが位置決めされた状態で、当該サスペンションワイヤ近傍に位置するように前記レンズホルダ部に配設される、
ことを特徴とする請求項２乃至４の何れか１項に記載の光ピックアップ用アクチュエータ組立方法。
【請求項６】
請求項２乃至５の何れか１項に記載の光ピックアップ用アクチュエータ組立方法により組み立てられる、光ピックアップ用アクチュエータ。
【発明の詳細な説明】
【技術分野】
【０００１】
本発明は、サスペンションワイヤを用いてワイヤ支持部にレンズホルダ部を架橋するための光ピックアップ用アクチュエータ組立治具セット、光ピックアップ用アクチュエータ組立方法、及び光ピックアップ用アクチュエータに関する。
【背景技術】
【０００２】
光ディスク装置に搭載される光ピックアップは、対物レンズをフォーカス方向とトラッキング方向とに駆動させるアクチュエータを備える（例えば、特許文献１参照）。
【特許文献１】特開２００７−１８６６９号公報
【発明の開示】
【発明が解決しようとする課題】
【０００３】
しかし、上記の技術では、レンズホルダにサスペンションワイヤを通す微小で精度の高い穴を設ける必要があるため、精度の高い治具等が必要であり、コストが高くなっていた。
また、サスペンションワイヤをレンズホルダに半田付けする際に、半田のフラックス等が、上記の穴に詰まってしまい、アクチュエータの動作を阻害する場合があった。
【０００４】
本発明は、上記問題点に鑑みてなされたもので、動作を阻害されることが少ないアクチュエータを低コストに組み立てるための光ピックアップ用アクチュエータ組立治具セット、光ピックアップ用アクチュエータ組立方法、及び光ピックアップ用アクチュエータを提供することを目的とする。
【課題を解決するための手段】
【０００５】
上記目的を達成するために、本発明の第１の観点に係る光ピックアップ用アクチュエータ組立治具セットは、
ワイヤ支持部に形成された貫通孔から、レンズホルダ部の一面に形成され、且つ、サスペンションワイヤの挿入方向に向かって縮小するテーパを有する溝にサスペンションワイヤを通すことによりレンズホルダ部とワイヤ支持部との相対位置を調整し、位置調整後、前記ワイヤ支持部と前記レンズホルダ部に前記サスペンションワイヤを固定することによって、光ピックアップ用アクチュエータを組み立てる方法に使用される組立治具セットであって、
前記ワイヤ支持部と前記レンズホルダ部とを位置合わせして固定する固定治具と、
前記固定治具に取り付け可能であり、前記固定治具に取り付けられた状態で、前記レンズホルダ部の前記溝を塞いで位置決め用貫通孔とし、前記サスペンションワイヤの挿入時に、当接したサスペンションワイヤを前記位置決め用貫通孔に誘導するように傾斜した傾斜面を備える補助治具と、を備える、
ことを特徴とする。
【０００６】
本発明の第２の観点に係る光ピックアップ用アクチュエータ組立方法は、
貫通孔を有するワイヤ支持部と、一面に形成されるテーパを含む溝を有するレンズホルダ部とを位置合わせして固定する固定治具と、
前記固定治具に取り付け可能であり、傾斜面を備える補助治具と、
を備える組立治具セットを使用して光ピックアップ用アクチュエータを組み立てる方法であって、
前記固定治具に前記ワイヤ支持部と前記レンズホルダ部とを位置合わせして固定し、前記固定治具に前記補助治具を取り付け、前記補助治具によって前記レンズホルダ部の前記溝を塞いで位置決め用貫通孔とする固定工程と、
前記サスペンションワイヤを前記ワイヤ支持部の前記貫通孔から挿入し、前記傾斜面を用いて前記サスペンションワイヤを前記位置決め用貫通孔に誘導する誘導工程と、を備える、
ことを特徴とする。
【０００７】
例えば、前記レンズホルダ部は、左右対称の複数の前記サスペンションワイヤを用いて、前記ワイヤ支持部に架橋され、
前記溝は、前記サスペンションワイヤが差し込まれる左右対称の直線上の内側に配置され、
前記左右対称の複数の前記サスペンションワイヤは、差し込まれる方向に角度を為すように斜めに架橋されてもよい。
【０００８】
例えば、前記レンズホルダ部は、前記サスペンションワイヤを接着するためのワイヤ取付部をさらに備え、
前記誘導工程で前記位置決め用貫通孔に誘導させて位置決めを行った前記サスペンションワイヤと、前記ワイヤ取付部及び前記ワイヤ支持部とを半田付けによって接着する接着工程をさらに備えてもよい。
【０００９】
例えば、前記レンズホルダ部は、アクチュエータを動作させるためのコイルを備え、
前記ワイヤ取付部は、
前記コイルと前記サスペンションワイヤとを通電させる端子であり、
前記ワイヤ支持部と前記レンズホルダ部とが前記固定治具に固定されている状態で、前記溝と前記ワイヤ支持部が備える貫通孔との間に存在するように配設され、
前記サスペンションワイヤが位置決めされた状態で、当該サスペンションワイヤ近傍に位置するように前記レンズホルダ部に配設されてもよい。
【００１０】
本発明の第３の観点に係る光ピックアップ用アクチュエータは、
上記光ピックアップ用アクチュエータ組立方法により組み立てられることを特徴とする。
【発明の効果】
【００１１】
本発明による光ピックアップ用アクチュエータ組立治具セットを用いれば、動作を阻害されることが少ないアクチュエータを低コストに組み立てることができる。
【発明を実施するための最良の形態】
【００１２】
以下、本発明の実施形態に係る光ピックアップ用アクチュエータ組立治具セット２００（以下、治具セット２００）と、治具セット２００を用いて組み立てられる光ピックアップ用アクチュエータ１００（以下、アクチュエータ１００）とについて説明する。治具セット２００を用いて、サスペンションワイヤでワイヤ支持部とレンズホルダを架橋することでアクチュエータ１００を組み立てることができる。
【００１３】
先ず、アクチュエータ１００の説明を行う。
【００１４】
アクチュエータ１００は、光ピックアップ内で使用され、光ピックアップが照射するレーザ光の焦点位置を調節する。
【００１５】
アクチュエータ１００は、図１，２に示すように、ワイヤ支持部１０と、サスペンションワイヤ２１〜２４と、レンズホルダ３０とから構成される。
【００１６】
ワイヤ支持部１０は、図１〜３に示すように、貫通孔１１〜１４と、緩衝材用孔１５，１６とを備える。
貫通孔１１〜１４は、それぞれ、サスペンションワイヤ２１〜２４を通して半田付けによって、それらの一端と接続される。
【００１７】
緩衝材用孔１５には、ダンパーゲル等の緩衝材が注入される。また、緩衝材用孔１５は、貫通孔１３，１４と繋がっている。そして、緩衝材用孔１５に注入された緩衝材は、貫通孔１３，１４を通り抜けたサスペンションワイヤ２３，２４を、アクチュエータ１００の動作の際に緩衝してその動きを滑らかにする。
緩衝材用孔１６についても同様である。
【００１８】
サスペンションワイヤ２１〜２４は、弾性を有するワイヤであり、一部分をワイヤ支持部１０に接続され、他部分をレンズホルダ３０に接続され、レンズホルダ３０を支持する。
【００１９】
レンズホルダ３０は、対物レンズ３１と、ワイヤ取付部３２〜３５と、位置決め部３６〜３９とを備える。
【００２０】
対物レンズ３１は、光ピックアップ内において、光ピックアップが照射するレーザ光を光ディスク面上に収束させるために使用される。
【００２１】
ワイヤ取付部３２〜３５は、それぞれ、位置決め部３６〜３９と、ワイヤ支持部１０が備える貫通孔１１〜１４との間に位置するように、レンズホルダ３０に配設される。また、ワイヤ取付部３２〜３５は、レンズホルダ３０が備えるコイル（図不掲載）の端子を含み、ワイヤ取付部３２〜３５の端子とサスペンションワイヤ２１〜２４とは、それぞれ、半田付けによって接続される。
このことによって、ワイヤ支持部１０よりサスペンションワイヤ２１〜２４に加電すると、レンズホルダ３０が備えるコイルに通電させることができる。
【００２２】
位置決め部３６〜３９は、ワイヤ支持部１０とレンズホルダ３０とに対するサスペンションワイヤ２１〜２４の位置決めを行うために使用される。
位置決め部３６〜３９は、それぞれ、図１４に示すように、テーパ状の溝３６ａ〜３９ａを備える。ただし、テーパ状の溝３７ａ〜３９ａについては、重複のため省略している。
位置決め部３６〜３９は、ワイヤ支持部１０とレンズホルダ３０とをサスペンションワイヤ２１〜２４で架橋する際に、テーパ状の溝３６ａ〜３９ａの内部にサスペンションワイヤ２１〜２４を誘導し、それらの位置決めを行う。
【００２３】
次に、上記のアクチュエータ１００を組み立てるための治具セット２００を説明する。
【００２４】
治具セット２００は、図４〜７に示すように、固定治具２１０と、補助治具２２０，２３０とから構成される。
【００２５】
固定治具２１０は、図５に示すように、ワイヤ支持部１０とレンズホルダ３０とを、アクチュエータ１００が完成した場合の相対位置と同じになるように固定する。
固定治具２１０は、図４に示すように、突起２１１と、孔２１２，２１３とを備える。
【００２６】
突起２１１は、レンズホルダ３０を固定治具２１０に固定する。
【００２７】
孔２１２，２１３は、ワイヤ支持部１０が備える突起（図不掲載）を嵌め込んで、ワイヤ支持部１０を固定治具２１０に固定する。
【００２８】
補助治具２２０，２３０は、図６、図７に示すように、ワイヤ支持部１０とレンズホルダ３０とが固定された固定治具２１０の両側面に取り付けられる。
補助治具２２０，２３０は、押さえ機構２２１，２３１を備え、押さえ機構２２１，２３１は、それぞれ、図１１に示すように、斜部２２１ａ，２３１ａを含む。
押さえ機構２２１は、補助治具２２０，２３０が、ワイヤ支持部１０とレンズホルダ３０とが固定された固定治具２１０の両側面に取り付けられた場合に、位置決め部３６，３７に対向するように配設される。
押さえ機構２２１は、図１７に示すように、テーパ状の溝３６ａ，３７ａと当接して、貫通孔ＨＬを形成する。
同様に、押さえ機構２３１は、補助治具２２０，２３０が、ワイヤ支持部１０とレンズホルダ３０とが固定された固定治具２１０の両側面に取り付けられた場合に、位置決め部３８，３９に対向するように配設される。
同様に、押さえ機構２３１は、図１７に示すように、テーパ状の溝３８ａ，３９ａと当接して、貫通孔ＨＬを形成する。
【００２９】
斜部２２１ａ，２３１ａは、サスペンションワイヤ２１〜２４が差し込まれる方向に対して、斜め方向の平面であり、サスペンションワイヤ２１〜２４が差し込まれた際に、サスペンションワイヤ２１〜２４をアクチュエータ１００の内側に押圧して湾曲させる。
【００３０】
次に、上記構成の治具セット２００を使用して、上記構成のアクチュエータ１００を組み立てるときの工程を説明する。
【００３１】
先ず、図５に示すように、固定治具２１０にレンズホルダ３０とワイヤ支持部１０とを固定する。次に、図６、図７に示すように、固定治具２１０に補助治具２２０，２３０を取り付ける。その際に、図１７に示すように、斜部２２１ａ，２３１ａとテーパ状の溝３６ａ〜３９ａとが当接し、四つの貫通孔ＨＬが形成される。
【００３２】
図８に示すように、ワイヤ支持部１０が上方にレンズホルダ３０が下方に位置するように、固定治具２１０の置き方を変える。図９に示すように、上方から、ワイヤ支持部１０の貫通孔１１〜１４にサスペンションワイヤ２１〜２４を挿入する。図１０，１１に示すように、さらにサスペンションワイヤ２１〜２４を差し込む。図１２，１７（ａ）に示すように、補助治具２２０，２３０の斜部２２１ａ，２３１ａに接触させる。
【００３３】
図１７（ｂ）に示すように、サスペンションワイヤ２１〜２４をさらに差し込むと、サスペンションワイヤ２１〜２４は、斜部２２１ａ，２３１ａによって、アクチュエータ１００の内側方向に押圧され、湾曲される。
【００３４】
図１３，１７（ｃ）（ｄ）に示すように、サスペンションワイヤ２１〜２４をさらに差し込むと、サスペンションワイヤ２１〜２４は、四つの貫通孔ＨＬに挿入されるように誘導され、位置決め部３６〜３９に当接される。
【００３５】
位置決め部３６〜３９は、サスペンションワイヤ２１〜２４が差し込まれるときの直線からアクチュエータ１００の内側よりに配設されているので、この状態において、サスペンションワイヤ２１〜２４は、図１５，１６に示すように、当該ワイヤが差し込まれる方向に内側に湾曲して位置決めされる。
【００３６】
ここで、ワイヤ取付部３２〜３５は、それぞれ、位置決め部３６〜３９と、ワイヤ支持部１０が備える貫通孔１１〜１４との間に位置するように、レンズホルダ３０に配設されているので、サスペンションワイヤ２１〜２４は、ワイヤ取付部３２〜３５の近傍に配置されている。そして、サスペンションワイヤ２１〜２４とワイヤ取付部３２〜３５とをそれぞれ半田付けによって接続する。結果として、レンズホルダ３０が備えるコイルとサスペンションワイヤ２１〜２４は、通電することが可能になる。
【００３７】
以上、本発明の実施形態に係る光ピックアップ用アクチュエータ組立治具セット２００を用いて光ピックアップ用アクチュエータ１００を組み立てた場合に、位置決めを行うために精度の高い貫通孔を使用しないので、簡単に低コストにアクチュエータ１００を組み立てることができる。また、位置決めを行うための貫通孔がなく、半田付けの際のフラックス等が貫通孔に詰まることがない為、アクチュエータ１００の動作を阻害されることが少ない。
構成上、位置決め部とワイヤ取付部とが距離的に離れているために、半田付けがしやすい。
【００３８】
また、本発明の実施形態に係る光ピックアップ用アクチュエータ組立冶具セット２００を用いて組み立てた光ピックアップ用アクチュエータ１００は、サスペンションワイヤ２１〜２４をワイヤ取付部３２〜３５に半田付けした後、
補助冶具２２０、２３０を光ピックアップ用アクチュエータ１００から離間させるため、サスペンションワイヤ２１〜２４は自らの弾性により、テーパ状の溝３６ａ〜３９ａに接触しない構造となるために、光ピックアップ用アクチュエータ１００が図示しない光ピックアップ装置に組み込まれて駆動された際の動作が阻害されない。
【００３９】
なお、本発明は上記実施形態に限定されず、種々の応用及び変形が可能である。
【００４０】
上記実施形態においては、サスペンションワイヤは四本であったが、他の本数であってもよい。それに応じて、ワイヤ取付部と位置決め部の数も変更してよい。
【００４１】
また、その他、具体的な細部構成等についても適宜変更可能である。
【図面の簡単な説明】
【００４２】
【図１】本発明の実施形態に係る光ピックアップ用アクチュエータ組立治具セットを用いて組み立てられる光ピックアップ用アクチュエータの斜視図である。
【図２】図１とは別の視点からの光ピックアップ用アクチュエータの斜視図である。
【図３】レンズホルダとワイヤ支持部との斜視図である。
【図４】光ピックアップ用アクチュエータ組立治具セットの固定治具にレンズホルダとワイヤ支持部とを取り付けられる前の斜視図である。
【図５】固定治具にレンズホルダとワイヤ支持部とを取り付けた際の斜視図である。
【図６】レンズホルダとワイヤ支持部とを固定した固定治具の両側面に補助治具を取り付ける際の斜視図である。
【図７】レンズホルダとワイヤ支持部とを固定した固定治具の両側面に補助治具を取り付けた際の斜視図である。
【図８】固定治具に固定されたレンズホルダとワイヤ支持部とにサスペンションワイヤを差し込む前の斜視図である。
【図９】固定治具に固定されたレンズホルダとワイヤ支持部とにサスペンションワイヤを差し込む際の斜視図である。
【図１０】サスペンションワイヤを差し込み、位置決めを行う際の斜視図である。
【図１１】図８の範囲Ａの拡大図である。
【図１２】図９の範囲Ａの拡大図である。
【図１３】図１０の範囲Ａの拡大図である。
【図１４】図１３の範囲Ａの別の視点からの拡大図である。
【図１５】固定治具に固定されたレンズホルダとワイヤ支持部とにサスペンションワイヤを差し込んだ際の上面図である。
【図１６】図１５の範囲Ｂの拡大図である。
【図１７】サスペンションワイヤの位置決めを説明するための模式図である。
【符号の説明】
【００４３】
１０            ワイヤ支持部
１１〜１４      貫通孔
１５，１６      緩衝材用孔
２１〜２４      サスペンションワイヤ
３０            レンズホルダ
３１            対物レンズ
３２〜３５      ワイヤ取付部
３６〜３９      位置決め部
３６ａ〜３９ａ  テーパ状の溝
１００          光ピックアップ用アクチュエータ
２００          光ピックアップ用アクチュエータ組立治具セット
２１０          固定治具
２１１          突起
２１２，２１３  孔
２２０，２３０  補助治具
２２１，２３１  押さえ機構
２２１ａ        斜部
２３１ａ        斜部
【図１】
2009230806.tif 000003
【図２】
2009230806.tif 000004
【図３】
2009230806.tif 000005
【図４】
2009230806.tif 000006
【図５】
2009230806.tif 000007
【図６】
2009230806.tif 000008
【図７】
2009230806.tif 000009
【図８】
2009230806.tif 000010
【図９】
2009230806.tif 000011
【図１０】
2009230806.tif 000012
【図１１】
2009230806.tif 000013
【図１２】
2009230806.tif 000014
【図１３】
2009230806.tif 000015
【図１４】
2009230806.tif 000016
【図１５】
2009230806.tif 000017
【図１６】
2009230806.tif 000018
【図１７】
2009230806.tif 000019